(57)【要約】【課題】寺院の境内などに、安価で容易かつ短期間に建設でき、火災から安全に遺骨を保護できるとともに、電力として太陽光を用いる納骨堂を提供する。【解決手段】屋根３と胴部壁面２を有し、前記屋根３と前記壁面２で囲まれた空間１０に耐火性ケース１１と祭壇部１２を備え、前記屋根３に太陽光発電パネル７が設置された納骨堂１であって、前記耐火性ケース１１の内部に複数の骨壷を収納し、前記祭壇部１２に電子的な画像表示装置を載置する。この画像表示装置としてデジタルフォトフレームが適当であり、その電力は前記太陽光発電パネル７から得る。戒名や遺影を含む故人に関する静止画像あるいは動画像を記憶した外付けの記憶媒体２１をデジタルフォトフレームに接続することによって表示させる。【選択図】図４
2010285795.tif 000002
【特許請求の範囲】
【請求項１】
屋根と胴部壁面を有し、前記屋根と前記壁面で囲まれた空間に耐火性ケースと祭壇部を備え、前記屋根に太陽光発電パネルが設置された納骨堂であって、
前記耐火性ケースの内部に複数の骨壷を収納し、前記祭壇部に電子的な画像表示装置が載置され、この画像表示装置の電源は前記太陽光発電パネルから得ることを特徴とする納骨堂。
【請求項２】
前記画像表示装置はデジタルフォトフレームであり、外付けの記憶媒体が装着されると、この記憶媒体に記録されている画像データが前記デジタルフォトフレームの画面上に表示されることを特徴とする請求項１に記載の納骨堂。
【請求項３】
前記画像データは、戒名や遺影を含む故人に関する静止画像あるいは動画像であることを特徴とする請求項２に記載の納骨堂。
【請求項４】
前記デジタルフォトフレームに前記記憶媒体が装着されていないときは、宗教的画像が表示されていることを特徴とする請求項２又は３のいずれかに記載の納骨堂。
【発明の詳細な説明】
【技術分野】
【０００１】
本発明は、寺院の境内などに、安価で容易かつ短期間に建設でき、火災から安全に遺骨を保護できるとともに、電源として太陽光を用いる納骨堂に関するものである。
【背景技術】
【０００２】
寺院には、遺骨を自宅などに保管している人から、遺骨を墓建立まで預かってほしい、墓建立の予定がないので寺院側で永久的に預かってほしい等、いろいろな要望がある。いずれも切実な要望のため、寺院としては遺骨の仮安置場所や永代供養墓を設けるといった対応に迫られている。檀家数の少ない小規模な寺院であって境内が狭い寺院などのニーズに応えるためには、所要床面積が小さく、安価な納骨堂の提供が望まれる。
【０００３】
このような要望に応えるものとして、特許文献１には、寺院境内で各種法規制に拘束されずに短期間で容易に建立でき、安価で、礼拝用の荘厳な礼拝部設備もあり、かつ多数の位牌・遺骨箱等を載置するための複数段の位牌・遺骨箱安置棚を備えた多面体胴部壁面の位牌・納骨堂を提供する「多面体胴部壁面の位牌・納骨堂」が開示されている。
特許文献２には、多数の遺骨を保管するとともに、納骨室と隔壁を介して配置された礼拝室を備えることにより参拝の利便性を向上させた「納骨堂」が開示されている。
【先行技術文献】
【特許文献】
【０００４】
【特許文献１】実用新案登録第３０７８６３７号
【特許文献２】特開２００８−２２３２３８号
【発明の概要】
【発明が解決しようとする課題】
【０００５】
特許文献１に記載の考案は、安価かつ容易に墓地の不足の問題を緩和するのに役立つ。しかも、宗教的施設としての尊厳性にも配慮している。
しかしながら、内部壁面前部に多数の位牌・遺骨箱等を載置するための複数段の位牌・遺骨箱安置棚を配置させなくてはならない。
また、礼拝部には、本尊像の描かれた掛け軸や仏壇等を設置しているが、これでは余りにも通り一遍過ぎて、故人を偲ぶ縁とはなりそうにない。即ち、通常自宅に置かれる仏壇のように縁者の戒名が彫られた位牌のような特定の故人のものが置かれているわけではなく、単に共用の祭壇にすぎない。いくら壁面にそって配置された棚に遺骨や位牌が載せられていても、参拝者に深い感慨や思い入れをもたらすとは考えがたい。
【０００６】
特許文献２に記載の発明は、遺骨の搬送装置を用いていない点で低コスト化を実現している。しかしながら、礼拝及び納骨室の設備や参拝者への利便性向上のためのコンピュータシステムの設置には、開発のみならず運用にも多大のコストを必要とし、中小規模の寺院にとっては導入が困難である。また、参拝者が礼拝室の操作パネルに適宜入力することによって、特定の故人を偲ぶことが可能となっているが、年配者にとって操作パネルへの入力はなじみが薄い。納骨堂への参拝者の多くが年配者と推定される以上、この点は当該納骨堂の普及にとって障碍となる。
また、特許文献１および特許文献２のいずれも、火災による遺骨の消失を防ぐことはできない。
【０００７】
以上のような問題点に鑑み、本発明は、容易かつ安価に、しかも火災から安全に遺骨を保管し、かつ、参拝者が縁者を偲ぶにふさわしい祭壇を提供することを目的とする。
【課題を解決するための手段】
【０００８】
上記の目的を達するために、請求項１に記載の発明は、 
屋根と胴部壁面を有し、前記屋根と前記壁面で囲まれた空間に耐火性ケースと祭壇部を備え、前記屋根に太陽光発電パネルが設置された納骨堂であって、
前記耐火性ケースの内部に複数の骨壷を収納し、前記祭壇部に電子的な画像表示装置が載置され、この画像表示装置の電源は前記太陽光発電パネルから得ることを特徴とする。
【０００９】
下記の実施形態の施錠手段を備えた耐火性金庫は耐火性ケースの一例である。たとえ、納骨堂が火災にあっても収納してある遺骨を守ることができる。
電子的な画像表示装置としては、パソコンによって制御される各種ディスプレイ、デジタルフォトフレームなどがある。複数の檀家が想定される本発明の納骨堂では、参拝者ごとに異なる戒名などをその都度変更表示させなくてはならないので、表示・非表示が自在の電子的な表示手段が最適である。画像表示装置の電源を、太陽光発電パネルから得るのでランニングコストを低減させるとともに環境にも配慮することができる。
【００１０】
上記の目的を達するために、前記画像表示装置としてデジタルフォトフレームを用いて、外付けの記憶媒体が装着されると、この記憶媒体に記録されている画像データが前記デジタルフォトフレームの画面上に表示されるようにしてもよい。
デジタルフォトフレームとは、デジタル画像の表示専用のディスプレイであり、コンピュータを使わなくてもデジタル画像を表示させることができる。このように単機能であるため、パソコンよりもはるかに少ない消費電力で動作する。
したがって、デジタルフォトフレームを利用するならば、デジタルフォトフレーム単体で動作するので、表示を制御するためのパソコンは不要であり、太陽光発電パネルから得られる電力だけで十分まかなうことができる。
下記の実施形態のＵＳＢメモリは、外付けの記憶媒体の一例である。電源を入れたデジタルフォトフレームにＵＳＢメモリを接続すると、デジタルフォトフレームはＵＳＢメモリ内に保存されている画像ファイルを自動的に認識して表示を行うのが一般的である。
【００１１】
上記の目的を達するために、前記外付けの記憶媒体に記憶させる画像データとしては、戒名や遺影を含む故人に関する静止画像あるいは動画像であることが好ましい。
戒名が文字データとしてではなく画像データとして記憶されているならば、デジタルフォトフレームは、特別な処理をすることなく簡単に戒名を表示できる。戒名に限らず、故人に関する静止画や動画も表示可能なので、在りし日の故人を偲ぶことができる。
【００１２】
上記の目的を達するために、デジタルフォトフレームに外付けの記憶媒体が装着されていないときは、宗教的画像が表示されているようにするとよい。
これにより、記憶媒体が装着されていないとき、すなわち参拝者がいないときでも、宗教的画像（例えば、ご本尊や曼荼羅）が表示されているので、宗教施設らしい荘厳さを醸しだすことができる。
【発明の効果】
【００１３】
安価で短期間で設置でき、しかも火災等から安全に遺骨を保護できる納骨堂を提供でき、
複数の遺骨を祀ってあっても、参拝者が自分の縁者である特定の故人にのみ向かい合っているという雰囲気を演出できる。
【図面の簡単な説明】
【００１４】
【図１】実施の形態の納骨堂の外観正面図である。
【図２】実施の形態の納骨堂の外観側面図である。
【図３】実施の形態の納骨堂の外観背面図である。
【図４】実施の形態の納骨堂内部の側面図である。
【図５】実施の形態の納骨堂内部の耐火性ケースの正面図である。
【図６】実施の形態の納骨堂内部の耐火性ケースの平面図である。
【発明を実施するための形態】
【００１５】
図面を参照しながら、本発明の一実施の形態について説明する。
【００１６】
本実施形態の納骨堂１は、図１〜図３に外観を示すように、４つの胴部壁面２と屋根３を有し、寺院の境内などに設けたコンクリート造りの基礎４の上に建立される。屋根３には宝珠５などの屋根飾りを付けることで宗教施設らしくなる。各壁面は、前部壁面のガラス部分１６、後部壁面の扉６以外は、任意枚数の板材から形成され、この板材は金属製でも樹脂製でも特に限定しない。
【００１７】
屋根３には、太陽光発電パネル７が設置されている。図には、太陽光発電パネルは１台のみ記載されているが、１台以上任意台数設置できる。屋根３のどの部分に設置するかは納骨堂１が建立される場所の地形や方位によって適宜決定する。納骨堂が設置される地形によっては、納骨堂とは別の箇所に太陽光発電パネル７を設置してもよい。
【００１８】
納骨堂１は、図４に示すように、胴部壁面２と、天板８及び底板９とから形成される内側の空間１０を有する。この納骨堂１の内部１０には、骨壷を収納するための耐火性の金庫１１が設置され、金庫１１の後方に祭壇部１２が配設されている。なお、本実施形態では、金庫１１の前面（錠前１５が取り付けられている面）は、納骨堂１の後壁面に向かい合っている。扉６を開けて、納骨堂１内に入室し、骨壷を金庫１１に出し入れする便宜のためである。
【００１９】
本実施形態の特徴のひとつとして、骨壷１３を収納するために金庫１１を使用する点がある。
図５は金庫１１の正面図であり、内部に複数の棚板１４が等間隔で取り付けられ、この棚板１４の上に骨壷１３が置かれ、施錠される。錠前１５は、テンキー式など種類を問わない。
各棚板１４の上には、図６に示すように１つの棚板１４の上に複数の骨壷１３が載置される。
例えば、縦・横が約１ｍ、高さが約２ｍの金庫に４つの棚で内部を５段にした場合、直径が２２ｃｍ、高さが２７ｃｍの骨壷であれば、各段に１６個、合計８０個を収納できる。もちろんこの数字は一例であり、設計によってこの限りではないが、このくらいの大きさの金庫１１であれば、床面積が１坪程度の狭い敷地にも納骨堂１を設置することができる。
建立できる敷地の面積によって納骨堂の床面積を決定すればよく、もし広くとれるならば、金庫１１を複数個設置してもよい。
【００２０】
遺骨を収納するのに本発明では、金庫のように既に製作済みのケースを納骨堂１内に搬入するだけでよいが、特許文献１では、壁面内側への棚の取り付け作業が発生する。これは工期短縮やコスト削減に関して本発明に極めて有利な点である。
しかも、耐火性であるので、屋外に設置されている納骨堂１が火災にあっても遺骨は保護され、檀家などは安心して遺骨を預けることができる。もし、耐火性の金庫を使用しないのであれば、壁面や屋根に耐火性の建材を使用しなくてはならず、コストを押し上げることになるが、本実施形態では、安全・安心を低コストで確保できる。
なお、特に図示はしていないが、スペースに余裕があれば、骨壷とともに位牌を収納してもよいことは言うまでもない。
【００２１】
祭壇部１２は、図４に示すように、外部ガラス仕切り１６と内部ガラス仕切り１７を備え、内部ガラス仕切り１７の奥に、デジタルフォトフレーム１８を利用した電子的な位牌１９を設置する。電子的な位牌１９は、図１に示すような装飾をデジタルフォトフレーム１８の周囲に施すと通常の位牌と同様の外観となる。また、電子的な位牌１９を須弥壇２０の上に載せるとさらに祭壇らしくなる。
【００２２】
外部ガラス仕切り１６と内部ガラス仕切り１７の間の空間には、ＵＳＢメモリ２１のＵＳＢプラグを挿入するためのメモリ受け台２２を設置する。ここで、メモリ受け台２２は、ＵＳＢメモリ２１のＵＳＢプラグ（図示せず）に接続するＵＳＢレセプタブル（図示せず）を備えている。このＵＳＢレセプタブルは、デジタルフォトフレーム１８の回路とつながっており、ＵＳＢプラグがＵＳＢレセプタブルに接続されると、ＵＳＢメモリ２１内のデジタルデータがデジタルフォトフレーム１８に転送される。
参拝客が持参したＵＳＢメモリ２１をメモリ受け台２２に挿入できるようにするため、外部ガラス仕切り１６の下部２３は開閉可能とする。
祭壇部１２の下方の空きスペースには、太陽光発電関連機器２４（充電コントローラ、バッテリ、インバータ等）を設置する。
なお、図４では、太陽光発電パネル７と太陽光発電関連機器２４とを繋ぐケーブル・コード類の図示を省略している。太陽光発電関連機器２４とデジタルフォトフレーム１８、及びデジタルフォトフレーム１８とメモリ受け台２２についても同様に省略する。
【００２３】
本実施形態の電子的な位牌１９は、デジタルフォトフレーム１８の表示機能を利用した点に特徴がある。以下、デジタルフォトフレーム１８への表示について説明する。
昇る太陽の光によってデジタルフォトフレーム１８を表示させるに足る電力が得られると、自動的にデジタルフォトフレーム１８に電源が入り、仏像や曼荼羅などの宗教的対象物が表示される。デジタルフォトフレーム１８の内蔵メモリ内に予め仏像などの汎用的な画像データを記憶させておき、ＵＳＢメモリ２１のＵＳＢプラグとメモリ受け台２２のＵＳＢレセプタブルとの接続が検知されていない状態では、この汎用的な画像を表示させるようなプログラムを設定しておく。
【００２４】
この納骨堂１の利用者は、遺骨を預ける際に当該利用者専用のＵＳＢメモリ２１の交付を受けておく。このＵＳＢメモリ２１には、故人の戒名あるいは俗名の画像データが記憶されており、納骨堂１に参拝に来たとき、外部ガラス仕切り１６の下方の開閉可能部分２３を開け、メモリ受け台２２に持参したＵＳＢメモリ２１を挿入する。デジタルフォトフレーム１８はＵＳＢプラグとＵＳＢレセプタブルとが接続したことを検知すると、ＵＳＢメモリ２１内に記憶されている画像データを読み込み表示させる。
これにより、参拝者は、縁者である故人の墓にお参りしているのと同様の感慨に浸ることができる。ここで、戒名にかぎらず、故人の遺影でもよく、静止画に限らず動画でもよい。要は、故人を偲ぶにふさわしいと思う画像データを記憶させ、参拝時に表示させればよい。
ＵＳＢメモリ２１は、データの消去、追加は自由なので、画像データを後から適宜追加したり、変更したりできることは言うまでもない。
なお、本実施形態では、ＵＳＢメモリ２１を合掌の形状にしている（図１と図４を参照）が、これは、宗教的な演出を意図したものである。市販のＵＳＢメモリ２１をそのまま使ってもよいが、規格のある部分以外は、適宜意匠的な工夫を施すことは自由である。
【００２５】
参拝者は、納骨堂１の前面のガラス１６及び１７を透して祭壇部１２、特に電子的な位牌１９を見ながら故人に祈りを捧げることになる。
参拝者は、帰る時にＵＳＢメモリ２１をメモリ受け台２２から外すと、デジタルフォトフレーム１８はＵＳＢメモリ２１と非接続状態になったことを検知して、表示中の戒名画像などを消去し、仏像などの汎用的な画像を表示させる。次の参拝者が訪れたときに、他人の戒名等が表示されているようであってはならないからである。
【００２６】
電子的な位牌１９として、パソコンで制御される液晶ディスプレイなどを利用してもよい。しかし、本発明では、デジタルフォトフレームの利用が好ましい。
なぜなら、この納骨堂１の需要者には小規模な寺院も含まれるので、設置費用が安価であること、運用開始後の保守が容易であることが望まれるからである。また、ＵＳＢメモリに記憶されている画像データを表示するだけでよいので、参拝者を識別するためのＩＤをＵＳＢメモリ内に入れたり、参拝者や故人の情報を登録したデータベースを用意したりしなくてよい。さらに、デジタルフォトフレームであれば、太陽光発電パネルから得られる電力で十分に動作させることができる。
【００２７】
以上、本発明の実施の形態について説明したが、これは一例にすぎない。
環境への配慮の観点から太陽光電池の使用が望ましいが、商用電力の使用を排除するわけではない。
上記の実施の形態では言及していないが、適宜換気ファンや室内照明などを取り付けてもよい。
祭壇部の須弥壇上には、図示はしていないが、電子的な位牌と並べて、仏像等を安置してもよい。
上記の実施の形態では、ケーブルでデジタルフォトフレームに結線されたメモリ受け台でＵＳＢメモリを接続しているが、ＵＳＢメモリのコネクタ部をデジタルフォトフレームに直接接続してもよい。
胴部は４つの壁面からなるが、６面でも８面でもよく、４面に限らない。
【産業上の利用可能性】
【００２８】
地価の高騰、交通の便のよい墓地に空きがないなどの理由で墓を建立できないとか、墓建立までの期間中に遺骨を預けておきたいといった人々のニーズに応えるために、寺院が納骨設備を低価格かつ短期間に設置することが出来る。
【符号の説明】
【００２９】
１  納骨堂
２  胴部壁面
３  屋根
７  太陽光発電パネル
１０  （納骨堂内部の）空間
１１  耐火性金庫
１２  祭壇部
１３  骨壷
１８  デジタルフォトフレーム
１９  電子的な位牌
２１  ＵＳＢメモリ
【図１】
2010285795.tif 000003
【図２】
2010285795.tif 000004
【図３】
2010285795.tif 000005
【図４】
2010285795.tif 000006
【図５】
2010285795.tif 000007
【図６】
2010285795.tif 000008